(57)【要約】【課題】不要な受信データの印刷を抑制すること。【解決手段】受信されたデータの送信元を示す送信元情報が印刷された印刷物を読取装置によって読み取ることによって得た読取画像から送信元情報を特定し、特定された送信元情報に対応する送信元からの受信データの印刷を禁止するよう設定する。【選択図】図３
2014090244.tif 000002
【特許請求の範囲】
【請求項１】
受信されたデータの送信元を示す送信元情報が印刷された印刷物を読取装置によって読み取ることによって得た読取画像から送信元情報を特定する特定手段と、
前記特定手段により特定された送信元情報に対応する送信元からの受信データの印刷を禁止するよう設定する設定手段と、
を有することを特徴とする通信制御装置。
【請求項２】
前記設定手段により設定されている送信元情報に対応する送信元からの受信を中止することにより当該送信元からの受信データの印刷を禁止することを特徴とする請求項１に記載の通信制御装置。
【請求項３】
前記特定手段により特定された送信元情報に対応する送信元からの受信データを破棄することにより当該送信元からの受信データの印刷を禁止することを特徴とする請求項１に記載の通信制御装置。
【請求項４】
前記特定手段により特定された送信元情報に対応する送信元からの着信を拒否することによって当該送信元からの受信データの印刷を禁止することを特徴とする請求項１に記載の通信制御装置。
【請求項５】
前記受信データの受信時に取得される送信元情報を前記受信データに合成して印刷を行わせる印刷制御手段を有し、
前記特定手段は、前記印刷制御手段によって印刷された印刷物に含まれる送信元情報を読取装置により読み取って得ることを特徴とする請求項１から４のいずれか１項に記載の通信制御装置。
【請求項６】
前記特定手段は、廃棄文書の投入口に設けられた読取装置が読み取った読取画像に含まれる送信元情報を特定することを特徴とする請求項１〜５のいずれか１項に記載の通信制御装置。
【請求項７】
受信されたデータの送信元を示す送信元情報が印刷された印刷物を読取装置によって読み取ることによって得た読取画像から送信元情報を特定し、
前記特定された送信元情報に対応する送信元からの受信データの印刷を禁止するよう、当該受信データの印刷を行う装置に設定することを特徴とするデータ処理方法。
【請求項８】
請求項７に記載のデータ処理方法をコンピュータにより実行させるプログラム。
【発明の詳細な説明】
【技術分野】
【０００１】
本発明は、通信制御装置、データ処理方法及びプログラムに関し、特に受信データの印刷の可否の制御を行うことのできる通信制御装置、データ処理方法及びプログラムに関する。
【背景技術】
【０００２】
ファクシミリ装置に対し、いたずらやダイレクトメール等のように、装置の利用者にとっては不要な情報が送られて来る場合がある。ファクシミリの受信があった場合に自動的に用紙に受信情報を印刷させる場合、不要な情報が送られてくると、用紙が無駄になる。
【０００３】
このような迷惑ＦＡＸによる無駄な用紙の消費を防止するために、次の方法が提案されている。着信したＦＡＸ画像を画面で確認した後に印刷する機能や、着信拒否すべき送信元として予め登録されている送信元からの送信については、ファクシミリの着信を拒否する着信拒否機能などである。
【０００４】
しかし、前者の画面で確認してから印刷する機能は、ファクシミリ受信がある毎に画面で確認する必要があり、煩雑である。
【０００５】
また、後者の着信拒否機能は、着信を拒否すべき送信元を着信履歴等から調べて着信拒否すべき送信元情報をユーザが手入力で一つ一つ登録する必要があり、その手間がかかるという問題がある。
【０００６】
一方、ファクシミリ受信時に作成される受信管理記録に基づいて、受信拒否マーク欄を有するＯＭＲシートを印刷し、受信拒否マーク欄にマークされた送信元を受信拒否対象として登録し、以降の受信を拒否するものが提案されている（特許文献１参照）。
【先行技術文献】
【特許文献】
【０００７】
【特許文献１】特開平５−１６７８１６号公報
【発明の概要】
【発明が解決しようとする課題】
【０００８】
特許文献１に開示の方法では、印刷されたＯＭＲシートから受信拒否するべき送信元情報を抽出する場合、受信したファクシミリの印刷物と一つ一つ照合する必要がある。したがって、多数の迷惑ＦＡＸが届く場合には、受信拒否対象として登録する際に手間がかかるという問題がある。
【０００９】
本発明は、不要なデータの印刷を容易に抑制することができる通信制御装置、データ処理方法及びプログラムを提供することを目的とする。
【課題を解決するための手段】
【００１０】
本発明の通信装置は、受信されたデータの送信元を示す送信元情報が印刷された印刷物を読取装置によって読み取ることによって得た読取画像から送信元情報を特定する特定手段と、前記特定手段により特定された送信元情報に対応する送信元からの受信データの印刷を禁止するよう設定する設定手段とを有することを特徴とする。
【発明の効果】
【００１１】
本発明によれば、不要なデータの印刷を容易に抑制することができるという効果を奏する。
【図面の簡単な説明】
【００１２】
【図１】実施形態１であるファクシミリ装置１００の構成を示すブロック図である。
【図２】実施形態１におけるＣＰＵ１０１の処理内容を示すフローチャートである
【図３】着信拒否一括登録機能に関するＣＰＵ１０１の処理の内容である。
【図４】実施形態２におけるＣＰＵ１０１の処理内容を示すフローチャートである。
【図５】実施形態３におけるＣＰＵ１０１の処理内容を示すフローチャートである。
【図６】実施形態３で着信拒否一括登録機能選択の処理を示すフローチャートである。
【図７】実施形態４のファクシミリ着信拒否登録システム１１２を示す図である。
【図８】実施形態４におけるＣＰＵ１０１の処理を示すフローチャートである。
【発明を実施するための形態】
【００１３】
以下、本発明の実施の形態について詳細に説明する。
【実施形態１】
【００１４】
図１は、本発明の通信制御装置の実施形態の一例であるファクシミリ装置１００の構成を示すブロック図である。
【００１５】
マイクロプロセッサ形態のＣＰＵ１０１は、内部バス１０２を介して接続されているＲＯＭ形態のプログラムメモリ１０３に格納されている制御プログラムと、ＲＡＭ形態のデータメモリ１０４の内容とに従って動作する。以下に示す処理はＣＰＵ１０１がプログラムメモリ１０３に記憶されている制御プログラムをデータメモリ１０４にロードし、それを実行することで行われる。ＣＰＵ１０１は、スキャナ部１０５を制御して、原稿上の画像を読み取り、データメモリ１０４中の画像メモリ１０６に格納させることができる。スキャナ部１０５は、積載された複数枚の原稿を連続的に自動給送する自動原稿給送装置を備える。ただし、自動原稿給送装置を備える構成に限らず、原稿台に載せた原稿を読み取るフラットベッドスキャナ方式であってもよい。また、ＣＰＵ１０１は、印刷部１０７を制御して、データメモリ１０４中の画像メモリ１０６の画像を用紙等の記録媒体に印刷させることができる。
【００１６】
ファクシミリ装置１００は、ファクシミリ通信制御部１０８を通じて、通信網（電話回線網）１０９に接続され、Ｇ３ファクシミリ通信手順に従って相手先のファクシミリ装置等の通信端末装置との間で通信を行う。ファクシミリ装置１００は、画像メモリ１０６中の画像データを相手先のファクシミリ装置に送信し、また、相手先のファクシミリ装置から受信した画像データ（受信データ）を画像メモリ１０６に格納する。着信拒否情報記憶部１１０は、着信を拒否するファクシミリ送信元情報を記憶する。着信拒否情報記憶部１１０は、ハードディスクなどの不揮発性メモリとして構成することによってファクシミリ装置１００の電源を切っても記憶を保持するようにしてもよい。また、着信拒否情報記憶部１１０とデータメモリ１０４とを同一のメモリとしてもよい。
【００１７】
着信拒否対象のファクシミリ送信元情報は、ファクシミリ通信プロトコルにより通知されるファクシミリ送信元情報の他、通信網１０９におけるサービスであるコーラＩＤやナンバーディスプレイ情報などを利用することができる。ＣＰＵ１０１は、操作部１１１を制御することによって、装置の状態の表示や機能選択メニューの表示を行ったり、ユーザからの操作を受け付けたりすることができる。
【００１８】
図２は、実施形態１におけるＣＰＵ１０１の処理内容を示すフローチャートである。
【００１９】
ＣＰＵ１０１は、Ｓ１０１で、ファクシミリの着信があるか否かを判別する。着信があると判断されれば、Ｓ１０２で、着信したファクシミリの送信元情報を取得する。ここではＧ３ファクシミリ通信手順において、ＩＴＵ−Ｔ  Ｔ.３０に従ったＴＳＩ（Ｔｒａｎｓｍｉｔｔｉｎｇ  Ｓｕｂｓｃｒｉｂｅｒ  Ｉｄｅｎｔｉｆｉｃａｔｉｏｎ）で送られてくる送信元情報を取得するものとする。
【００２０】
次に、ＣＰＵ１０１は、Ｓ１０３で着信したファクシミリの送信元情報が、着信拒否対象として着信拒否情報記憶部１１０に記憶されているか否かを調べる。着信拒否対象ではないと判断されれば、Ｓ１０４で、ファクシミリ受信処理を行い、Ｓ１０５で受信画像を印刷する。
【００２１】
一方、Ｓ１０３で着信したファクシミリの送信元情報が着信拒否対象であると判断されれば、Ｓ１０６で、ファクシミリ通信制御部１０８を制御して回線を切断することによって受信を中止する。なお、Ｓ１０６で回線を切断する代わりに、ファクシミリ受信処理を通常通り実行して画像メモリ１０６に格納し、受信画像を印刷せずに画像メモリ１０６から破棄するようにしてもよい。
【００２２】
さて、Ｓ１０１でファクシミリ着信がないと判断されれば、Ｓ１０７で、操作部１１１においてユーザ操作が行われたかどうかを調べる。操作が行われていたと判断されれば、Ｓ１０８で、操作内容に応じて各種の処理に分岐する。ここで、機能選択メニューで着信拒否一括登録機能が選択されていれば、ＣＰＵ１０１は、Ｓ１０９で、後述の着信拒否一括登録処理を行う。
【００２３】
図３は、着信拒否一括登録機能が選択された場合におけるＣＰＵ１０１の処理内容を示すフローチャートである。
【００２４】
操作部１１１を介して着信拒否一括登録機能が選択され、原稿の読み取りが指示されるとＣＰＵ１０１は、Ｓ２０１で、スキャナ部１０５を制御し、自動原稿給送装置に積載された原稿群の１枚目の原稿を給送させる。または原稿台に載置された原稿の画像を読み取らせる。次に、ＣＰＵ１０１は、Ｓ２０２で読み取った原稿画像を解析し、ファクシミリ番号を抽出する。ここでは、受信ファクシミリ画像のヘッダ部（端部）に、送信元の相手先ファクシミリ装置が埋め込んだファクシミリ番号を読み取り、ファクシミリ送信元情報とする。次に、ＣＰＵ１０１は、Ｓ２０３において、Ｓ２０２で抽出したファクシミリ番号を、着信拒否対象として着信拒否情報記憶部１１０に登録する。このとき、既に着信拒否対象として登録済みのファクシミリ番号があればＳ２０３の処理はスキップされる。
【００２５】
以上の制御を、読取対象の全ての原稿に対して繰り返すことによって、着信拒否一括登録処理を行う。このように制御することによって、受信ファクシミリ印刷物をまとめて読み取り、抽出した送信元情報を、一括して着信拒否対象として登録することができる。これによって不要な送信元からのデータの印刷を禁止することができる。このとき、受信ファクシミリ画像の端部に記載されているファクシミリ番号を用いるので、ユーザはどの画像の送信元を着信拒否すべきかを確認しやすくなる。
【実施形態２】
【００２６】
実施形態１は、受信ファクシミリ印刷物をスキャナ部１０５が読み取った画像から、送信元がファクシミリ画像に付加したファクシミリ送信元情報を抽出するものであった。
【００２７】
実施形態２は、受信ファクシミリ印刷物を印刷する際に、ファクシミリ着信時に取得したファクシミリ送信元情報（ファクシミリ番号）を合成して印刷し、着信拒否一括登録動作時に、合成されたファクシミリ送信元情報を抽出するものである。
【００２８】
図４は、実施形態２におけるＣＰＵ１０１の処理内容を示すフローチャートである。図４について、図２に示す処理と同様な処理はここでの説明は省略し、相違点についてのみ説明する。
【００２９】
Ｓ１０４でファクシミリ受信処理を行った後に、Ｓ３０１で、ＣＰＵ１０１は、Ｓ１０２で取得した送信元情報を、ファクシミリ受信画像に合成した後に、Ｓ１０５で印刷する。なお、送信元情報は、文字として合成するようにしてもよく、バーコードや記号などスキャナ部で読み取り可能な形式で合成するようにしてもよい。なお、実施形態２における着信拒否一括登録機能選択時のＣＰＵ１０１の処理内容は、図３に示す実施形態１の処理と同等の処理であるので、その説明を省略する。
【００３０】
以上のように制御することによって、着信時に取得した送信元情報を、受信ファクシミリ印刷物から抽出して登録するので、送信元においてファクシミリ画像に送信元情報を合成させずに送信してきた場合であっても容易に今後の着信拒否を登録することができる。なお、送信元でファクシミリ画像に送信元情報を合成させて送信してきた場合、着信拒否一括登録時、送信元で合成させた送信元情報または／及びＳ３０１で合成した送信元情報を抽出して着信拒否番号を登録するようにしてもよい。また、送信元でファクシミリ画像に送信元情報を合成させずに送信してきた場合にＳ３０１における合成を行い、送信元で合成させて送信してきた場合にはＳ３０１による合成を行わないようにしてもよい。
【実施形態３】
【００３１】
実施形態２は、ファクシミリ着信時に取得したファクシミリ送信元情報を、受信ファクシミリ印刷物を印刷する際に合成して印刷し、着信拒否一括登録動作時に、合成されたファクシミリ送信元情報を抽出するものであった。
【００３２】
実施形態３では、ファクシミリ着信時に取得したファクシミリ送信元情報を、所定の識別子に置き換えて当該識別子を合成して印刷させるものである。
【００３３】
図５は、実施形態３におけるＣＰＵ１０１の処理内容を示すフローチャートである。図５に示す処理について、図４に示す処理と同様な処理はここでの説明は省略し、相違点についてのみ説明する。
【００３４】
Ｓ１０４で、ファクシミリ受信処理を行った後に、Ｓ４０１で、ＣＰＵ１０１は、Ｓ１０２で取得した送信元情報をデータメモリ１０４に記憶する。このとき取得した送信元情報を所定の識別子に変換し、この送信元情報と識別子とを対応付けて着信履歴情報として記憶する。ここで、識別子は送信元情報の複数桁分を所定の記号に置き換えるなどし、取得した送信元情報より文字数を減らしたものとする。
【００３５】
続くＳ４０２で、ファクシミリ送信元情報の識別子をファクシミリ受信画像に合成した後に、Ｓ１０５で印刷する。
【００３６】
図６は、実施形態３における着信拒否一括登録機能選択時におけるＣＰＵ１０１の処理内容を示すフローチャートである。図６に示す処理について、図３に示す処理と同様な処理はここでの説明は省略し、相違点についてのみ説明する。
【００３７】
Ｓ２０１でファクシミリ受信画像をスキャナ部で読み取らせた後に、ＣＰＵ１０１は、Ｓ５０１で、読み取られた原稿画像を解析し、送信元情報に対応する識別子を抽出する。続くＳ５０２で、データメモリ１０４中に保存されている着信履歴情報を検索し、抽出された識別子に対応する送信元情報を取得する。ここで取得した送信元情報を用いて、着信拒否番号登録を行う（Ｓ２０３）。このように、送信元情報よりも情報量が少ない識別子を受信ファクシミリ印刷物に合成するので印刷物において送信元情報を識別するための情報の領域が占める割合を実施形態２に比べて減らすことができる。
【実施形態４】
【００３８】
実施形態１から３は、着信拒否一括登録処理の際、ファクシミリ装置が備えるスキャナ部によって登録対象の原稿を読み取るものとした。実施形態４は、受信ファクシミリ印刷物の読み取りを、ファクシミリ装置に接続された外部読取装置で行うものである。
【００３９】
図７は、実施形態４におけるファクシミリ着信拒否登録システム１１２の構成を示すブロック図である。
【００４０】
ファクシミリ装置１００ａの構成は、図１に示すファクシミリ装置１００において、インタフェース制御部１１３が付加された装置である。図７ではスキャナ部１０５も示しているが、スキャナ部１０５を備えないものとしてもよい。ファクシミリ装置１００ａは、インタフェースケーブル１１４経由で接続された外部読取装置１１５で読み取った画像を取得することができる。外部読取装置１１５は、読み取った画像をファクシミリ装置１００ａに送信する。
【００４１】
図８は、実施形態４におけるファクシミリ装置１００ａのＣＰＵ１０１の処理内容を示すフローチャートである。図８に示す処理について、図２に示す処理と同様な処理はここでの説明を省略し、相違点についてのみ説明する。
【００４２】
Ｓ６０１では外部読取装置１１５における動作を監視する。Ｓ６０２で、外部読取装置１１５における原稿読み取り要求があるか否かを判断する。原稿読み取り要求があると判断されれば、Ｓ６０３で、外部読取装置１１５が読み取った原稿画像に含まれる送信元情報を用いて着信拒否一括登録処理を行う。実施形態４における着信拒否一括登録時のＣＰＵ１０１の処理内容は、原稿読み取り処理をスキャナ部１０５が行う代わりに外部読取装置１１５を用いることを除き、図３に示す処理と同等の処理であるので、その説明を省略する。また、ここでは実施形態１で述べた処理において原稿の読み取りを外部読取装置１１５に置き換えたものを示したが、同様に実施形態２、３で述べた処理において原稿の読み取りを外部読取装置１１５に置き換えるようにしてもよい。また、実施形態４において着信拒否一括登録処理を行うのは、操作部１１１によって着信拒否一括登録機能が選択されたうえで外部読取装置１１５から読取画像を受信した場合としてもよい。
【００４３】
なお、実施形態４において、廃棄する文書を投入する廃棄箱の投入口に、外部読取装置１１５を設けるようにしてもよく、また廃棄する文書を切断破砕するいわゆるペーパーシュレッダ装置の投入口に、外部読取装置１１５を設けるようにしてもよい。このように構成することによって、不要な受信ファクシミリ印刷物を読み取って着信拒否登録するとともに、廃棄することができる。外部読取装置１１５が廃棄箱またはペーパーシュレッダ装置等の廃棄文書の投入口に設けられている場合は、そこに投入される文書は不要文書である。したがって、操作部１１１によって着信拒否一括登録機能が選択されていなくとも外部読取装置１１５から読取画像の受信があった場合に着信拒否一括登録処理を行うようにしてもよい。
【００４４】
また、ファクシミリ装置１００ａが読取画像の受信に応じて着信拒否一括登録処理を行うのに代え、外部読取装置１１５が着信拒否一括登録のための設定を行ってもよい。つまり外部読取装置１１５が読取画像から送信元情報を特定し、その特定された送信元情報の着信拒否登録を行うよう、ファクシミリ装置１００ａに指示するようにしてもよい。これによって自身がファクシミリ通信機能を有さない外部読取装置１１５が通信制御装置として機能することとなる。
【００４５】
以上のような実施形態によれば、不要なデータの印刷を容易に拒否することができる。
【００４６】
なお、以上の実施形態において、Ｓ１０２において取得する送信元情報はファクシミリ通信開始後のファクシミリ通信手順において取得するものとしたが、これに限らない。コーラＩＤサービスやナンバーディスプレイサービスによって着呼時に通知される電話番号としてもよい。この場合は、Ｓ１０１において通信網１０９からの着呼があった時点で送信元情報を判断し、この送信元情報が着信拒否対象の場合に回線捕捉をしないようにする。これによって着信拒否対象からの着信に対し回線捕捉せずに済み、他の着信に対応できるようになる。
【００４７】
また、Ｓ１０２で取得する送信元情報を、ファクシミリ受信画像に含まれるファクシミリ番号としてもよい。この場合、Ｓ１０２の時点でファクシミリ画像の受信も行ってしまい、受信画像の中に含まれるファクシミリ番号を抽出する。抽出するファクシミリ番号は画像のヘッダ部に記載されているものやカバーページに記載されているものなどを抽出すればよい。そして、ファクシミリ画像の受信を行っても画像メモリ１０６に記憶させたまま印刷部１０７による印刷は行わず、着信拒否対象と判断されなかった場合に印刷させ、そうでなかった場合は画像メモリ１０６から削除する。
【００４８】
また、Ｓ１０２における送信元情報の取得は、ファクシミリ通信手順において取得されるもの、コーラＩＤサービスまたはナンバーディスプレイサービスで取得されるもの、ファクシミリ画像に記載されているものから取得されるもののいずれかでよい。そして、これらのいずれかによってファクシミリ受信するかどうか、またはファクシミリ受信画像を印刷させるかどうかを決定するようにしてもよい。ここでいずれも取得できなかった場合には着信拒否または受信文書を印刷せずに破棄するようにしてもよい。
【００４９】
また、以上の説明では、Ｇ３方式のファクシミリ通信を行う場合について述べた。しかし、これに限らず、たとえばインターネットまたはイントラネットを介して電子メールの手順で受信した文書を印刷するインターネットファクシミリ装置で同様の処理を行うことができる。この場合、上述のＧ３ファクシミリ通信における電話番号（ファクシミリ番号）に基づく処理に代え、電子メールのヘッダ部に記述されている差出人名またはメールアドレスに従って受信拒否設定を行えばよい。また、ヘッダ部に記述されている差出人名またはメールアドレスの他、メールサーバにメールコマンドによって通知されるメールアドレスを用いることも可能である。ファクシミリ受信文書に記載された送信元情報は上述のＧ３ファクシミリ通信におけるものと同様に行うことができる。
【００５０】
また、以上の説明では着信（受信）拒否設定が行われていない送信元からの受信文書は印刷部によって印刷するものとしたが、受信文書を表示可能な表示部を設け、印刷部で印刷させずに該表示部で表示させるようにしてもよい。この場合、上記のように受信文書の送信元情報の特定を行い、受信文書とその送信元情報とを関連付けておき、操作部によって当該送信元情報を指定して着信（受信）拒否を設定させるようにすればよい。
【００５１】
また、本実施形態は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（ＣＰＵやＭＰＵ等）がプログラムを読み出して実行する処理である。また、プログラムは、１つのコンピュータで実行させても、複数のコンピュータを連動させて実行させるようにしてもよい。また、上記した処理の全てをソフトウェアで実現する必要はなく、一部または全部をハードウェアによって実現するようにしてもよい。
【図１】
2014090244.tif 000003
【図２】
2014090244.tif 000004
【図３】
2014090244.tif 000005
【図４】
2014090244.tif 000006
【図５】
2014090244.tif 000007
【図６】
2014090244.tif 000008
【図７】
2014090244.tif 000009
【図８】
2014090244.tif 000010